【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
ネットワークを介して接続される外部システムとの電子メール送受信が可能な画像形成装置であって、
前記外部システムからの電子メールに含まれる所定の情報に応じて画像形成装置が実行する処理の情報を記憶した記憶手段と、
前記外部システムから、前記画像形成装置への所定の要求を表す識別情報を有した要求電子メールを受信する受信手段と、
前記識別情報に応じた前記処理の情報に基づき、送信電子メールを生成する返信電子メール生成手段と、
前記送信電子メールを前記外部システムに送信する送信手段とを備えたことを特徴とする画像形成装置。
【請求項２】
前記送信電子メール生成手段は、
前記要求電子メール中のＲｅｐｌｙ-Ｔｏフィールドに送信先メールアドレスが存在する場合、該フィールドの返信先メールアドレスを送信先メールアドレスとした送信電子メールを生成する一方、
前記要求電子メール中のＲｅｐｌｙ-Ｔｏフィールドに送信先メールアドレスが存在しない場合は、前記要求電子メール中の発信元メールアドレスを送信先メールアドレスとした送信電子メールを生成することを特徴とする請求項1記載の画像形成装置。
【請求項３】
前記記憶手段は、前記外部システムからの電子メールの受信が許可される受信許可情報を有し、
前記送信電子メール生成手段は、
前記要求電子メール中の発信元メールアドレスと前記受信許可情報とに基づき、送信電子メール生成の制御を行うことを特徴とする請求項1記載の画像形成装置。
【請求項４】
前記送信電子メール生成手段は、
前記要求電子メール中の所定の領域に記述された、前記画像形成装置からの送信電子メールのデータ形式に関する情報、該データ形式で用いる言語に関する情報に応じた送信電子メールを生成することを特徴とする請求項3に記載の画像形成装置。
【請求項５】
前記送信電子メール生成手段は、
前記要求電子メール中の所定の領域に、前記画像形成装置のステータスに関する情報の要求が存在する場合、前記データ形式及び該データ形式で用いる言語により、前記送信電子メールを生成することを特徴とする請求項4記載の画像形成装置。
【手続補正２】
【補正対象書類名】明細書
【補正対象項目名】０００４
【補正方法】変更
【補正の内容】
【０００４】
これらの従来技術に関する先行技術文献として、例えば、以下の公報が開示されている。
【特許文献１】特開平１１−７４９１３号公報
【特許文献２】米国特許第６２０９０４８号明細書
【手続補正３】
【補正対象書類名】明細書
【補正対象項目名】０００７
【補正方法】変更
【補正の内容】
【０００７】
上記目的を達成するため、本願発明は、以下の構成を採っている。
【手続補正４】
【補正対象書類名】明細書
【補正対象項目名】０００８
【補正方法】変更
【補正の内容】
【０００８】
本発明は、ネットワークを介して接続される外部システムとの電子メール送受信が可能な画像形成装置であって、外部システムからの電子メールに含まれる所定の情報に応じて画像形成装置が実行する処理の情報を記憶した記憶手段と、外部システムから、画像形成装置への所定の要求を表す識別情報を有した要求電子メールを受信する受信手段とを備えている。また、識別情報に応じた処理の情報に基づき、送信電子メールを生成する返信電子メール生成手段と、送信電子メールを外部システムに送信する送信手段とを備えた、という構成を採っている。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１３
【補正方法】変更
【補正の内容】
【００１３】
ここで、送信電子メール生成手段は、要求電子メール中のＲｅｐｌｙ-Ｔｏフィールドに送信先メールアドレスが存在する場合、該フィールドの返信先メールアドレスを送信先メールアドレスとした送信電子メールを生成してもよい。また、要求電子メール中のＲｅｐｌｙ-Ｔｏフィールドに送信先メールアドレスが存在しない場合は、要求電子メール中の発信元メールアドレスを送信先メールアドレスとした送信電子メールを生成してもよい。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１７
【補正方法】変更
【補正の内容】
【００１７】
また、記憶手段が、外部システムからの電子メールの受信が許可される受信許可情報を有し、前記送信電子メール生成手段が、要求電子メール中の発信元メールアドレスと受信許可情報とに基づき、送信電子メール生成の制御を行ってもよい。
【手続補正１２】
【補正対象書類名】明細書
【補正対象項目名】００１８
【補正方法】変更
【補正の内容】
【００１８】
このとき、送信電子メール生成手段は、要求電子メール中の所定の領域に記述された、画像形成装置からの送信電子メールのデータ形式に関する情報、該データ形式で用いる言語に関する情報に応じた送信電子メールを生成してもよい。
【手続補正１３】
【補正対象書類名】明細書
【補正対象項目名】００１９
【補正方法】変更
【補正の内容】
【００１９】
更に、送信電子メール生成手段は、要求電子メール中の所定の領域に、画像形成装置のステータスに関する情報の要求が存在する場合、データ形式及び該データ形式で用いる言語により、送信電子メールを生成してもよい。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】